(57)【要約】【課題】開梱時における作業性の向上を図るロール・シートを提供する。【解決手段】シートに識別用のマークを設けて複数の荷物に複数回巻き付けて固定した際、その端部とその下に巻き付けられたロール・シートにおける識別用マークの位置や形状の違いからロール・シートの端部の位置の判別を容易にする。また透明又は半透明のシートとした場合、その巻き数の判別も容易にしてロール・シートの無駄な使用量を節約する。【選択図】図１
2009227323.tif 000002
【特許請求の範囲】
【請求項１】
シートに識別用マークを設けたロール・シート。
【請求項２】
前記シートが透明又は半透明の材料であることを特徴とする請求項１のロール・シート。
【請求項３】
前記識別用マークが前記ロール・シートの巻きつけ方向に延びる一本の線で構成されることを特徴とする請求項１または２に記載のロール・シート。
【請求項４】
前記識別用マークが前記ロール・シートの巻き付け方向に対して傾斜した線で構成されることを特徴とする請求項１または２に記載のロール・シート。
【請求項５】
前記識別用マークがデザイン的なものであることを特徴とする請求項１または２に記載のロール・シート。
【発明の詳細な説明】
【技術分野】
【０００１】
本願発明は、物体に巻き付くための、または巻き付いた形状で製造されるロール・シートに関し、特に梱包又は包装用のラップ・シートで、倉庫等で品物の固定・梱包に使用されるラップ・シートに関する。
【背景技術】
【０００２】
ロール・シートは現在では、たとえば、家庭用の食品包装用ラップ・フィルムや果てはトイレット・ペーパーのような様々な種類のものがある。
特に、その中でラップ・フィルムとして知られるラップ・シートは、従来、倉庫等でパレット上の種々の荷物を、運搬中や保管中に分散しないよう、一パレット上に置かれた複数の荷物の周りを囲み、まとめるのに使用されている。
その際、ラップ・シートは荷物に二重、三重に巻き付けて一番外側のラップ・シートをその下のラップ・シートの外周面に貼り付けることで固定している。
【発明の開示】
【発明が解決しようとする課題】
【０００３】
しかし、現在使用されているロール・シートは使用時や製造時に複数回巻き付けると、その端部が下のシートにピッタリ貼り付いてしまい、どこが端部か判別が困難になって探すのに苦労することも多い。これはフィルム状のシートのみならず、パルプ等のトイレット・ペーパーでも製造時にきつく巻かれた場合に端部が見つからず使用時に困難を伴うことがある。
また梱包用のラップ・シートでは、端部がどこか判別が困難な場合、作業性をよくするため、ラップ・シートの端部を剥がさずに、巻き付けたラップ・シートを適当な箇所で切断して固定した荷物を分散させようとすることもあるが、その時には開放される荷物に傷がつかないよう注意してラップ・シートを切断する必要があり、これも厄介な問題を含んでいた。
また、複数回巻き付ける際に、そのラップ・シートが無色透明または半透明である場合、何回巻かれたか分らなくなり、過重に巻き付けてシートの使用量が増大することも経費上また省エネ上で問題であった。
【課題を解決するための手段】
【０００４】
この問題を解決するため、本願発明では、シートに識別用マークを設けたロール・シートを提供するものである。このシートは透明または半透明の材質であってもよい。これを複数回巻き付けた際、その識別用マークは一番外周のシートの端部で切断されて、その下のシート面に巻き付けられまたは貼り付けられていても、切断された端部の識別用マークは下のシートに設けられた識別用マークとは多少なりとも位置や形状等が異なるため、一目で切断部すなわち端部が見出される効果を備えるものである。
これは製造時に堅く巻き付けられたロール・シート、例えばトイレット・ペーパーなどにおいても、識別用マークとして例えば傾斜した線などをシートに設けると、端部は明瞭に見分けられて容易にめくる場所が見つけられ、便利なものである。
また、荷物の梱包などで複数回巻かれる際、その識別用マークは上のシートとその下のシートで同一位置にくることは殆どないため、透明又は半透明のシートにおいてその重なりから現在の巻かれた数も判断できるものである。このため不要な巻き数を節約することができて経済的な効果を与えるものである。
なお、この識別マークはシートの巻き方向に沿った任意の位置にある単数・複数の直線でもよいが、巻き方向に対して傾斜するものが好ましい。さらにそれが曲線や点線でも、また水玉等のデザイン的なマークでもよい。
【発明の効果】
【０００５】
シートに識別用マークを設けたロール・シートは巻き付けても、その貼り付けられた端部は明確であるため、ロール・シートの取り外しが容易になり、開梱等の作業性を大いに高めることのできる効果を奏するものである。
【発明を実施するための最良の形態】
【０００６】
図に示される実施例は単に例示のために使用されるだけで、この実施例に本願発明の範囲が限定されるものではない。
【実施例１】
【０００７】
図１に本願発明によるロール・シートの一実施例であるラップ・シートを使用してパレット上の荷物を固定した状態を示す。
本願発明によるラップ・シート３を、従来と同様に、パレット１上の種々の荷物２の外周に巻き付けて荷物２を固定し、荷崩れしないように二重に巻き、ラップ・シート３を適当な箇所で切断して、その下のラップ・シート３ａの外周に貼り付けてラップ・シート３ｅを固定する。
この実施例のラップ・シート３は透明であり、その幅方向の中央部にラップ・シートの巻き方向に沿って、識別マークとして設けた一本の所定の幅の有色の線部４を有している。
【０００８】
図１を見て分るように、その線部４が巻かれたラップ・シート３とその下のラップ・シートは完全に同一位置になることはなく、このため、食い違った線部４の数から、この荷物の周囲に巻かれたラップ・シートは、二重に巻かれている状態であることが理解される。よってこのラップ・シートが何重に巻かれたかは一目で判別可能なものである。
このように、ラップ・シートの巻き付け作業時に巻いた回数が容易に確認でき、過剰な巻き回数を防止できる。
【０００９】
また図２に示すように、その一番外周のラップ・シート３ｅはその切断された端部５の識別マークの線部４が、貼り付けられたその下のラップ・シート３ａ，３ｂの線部４の位置とは食い違うため、その端部５の位置が明瞭にかつ容易に判別できる。
よって、開梱時にラップ・シート３を剥がす場合、その端部５は容易に探し出せるため不明な端部を探すという無駄な労力を省くことができる。
【００１０】
なお、上記の実施例において、線部４は巻き付け方向に沿った直線としたが、図３に示すように、巻き付け方向に対して傾斜した、すなわち斜線でもよい。この線部４’によって、ラップ・シートの使い初めや残りの巻かれたラップ・シートを使用する際にそのピッタリくっついた端部は、図３のように、明確に見出され、楽に使用できるものである。
【００１１】
本願発明の識別マークは、図１の実施例では幅方向中央に１本の線部を設けたが、その位置は中央に固定されるものではなく、線部もその数が複数でもまたその色が線によって異なるものでもよい。またラップ・シートが重なった場合に、上記の図３の変更例のような斜線や曲線・点線等でその重なりがより判別しやすい形状・色であってもよい。さらに、識別マークは線だけではなく、水玉やその他のデザイン・色で連続性や他の線部の位置などとの違いを見出せて、ラップ・シートの重なりが判別できるものであればよい。
また識別マークを設けるには、製造時にラップ・シートに識別マークを塗料等で塗るかテープ状のものを貼ったり、あるいはシート材料の製造の際に帯状の線部となるよう予め設定するかまたはシート材料と別の色の材料を混合して用いて識別マークを備えてもよく、その他従来公知の方法で設けられてもよい。
【００１２】
また、本願発明を家庭用の食品包装用ラップ・フィルムに適用した際にも、図３と同様に使用時にラップ・シートの貼りついた端部を見つける場合やラッピングされた品物からラップ・シートを剥がすためその端部を見つける場合、特に識別マークとして例えば傾斜した線や曲線などを使用すると、上記と同様にこの識別マークがあれば下のラップ・シートの識別マークとの食い違いから端部の判別が容易になるもので、家庭内での作業の効率を高めることのできるものである。
【００１３】
さらに、本願発明をトイレット・ペーパーに適用すると、図３と同様に、識別マークは巻く方向に対して斜めのもの、すなわち斜線などの形状が好ましく、製造時に堅く巻かれた状態のものから、その下のシート面との識別マークの食い違いによりロール・シートの端部が容易に見出せ、トイレット・ペーパーが取りやすくなるものである。
【産業上の利用可能性】
【００１４】
単にシートに識別マークを設けるという簡単な構成で、従来手間取っていたロール・シートにおける開梱の作業の効率向上を可能にできる。また家庭内で用いられるラップ・シートやトイレット・ペーパーとして使用すれば便利である。
【図面の簡単な説明】
【００１５】
【図１】本願発明の一実施例のラップ・シートによって固定されたパレット上の荷物の状態の概略斜視図を示す。
【図２】図１の実施例で端部の部分拡大図を示す。
【図３】図１の実施例において、その線部をラップ・シートの巻き付ける方向に対して傾斜させた変更例の使用前の巻かれたラップ・シートを示す斜視図。
【符号の説明】
【００１６】
１  パレット
２  荷物
３ａ  ラップ・シート
３ｂ  ラップ・シート
３ｅ  ラップ・シート
４  線部
４’  線部
５  端部
【図１】
2009227323.tif 000003
【図２】
2009227323.tif 000004
【図３】
2009227323.tif 000005